(57)【要約】【課題】  電子写真方式の画像形成装置に用いられる電源基板において、基板の大型化及びイオンマイグレーションの発生を抑制する。【解決手段】  第１入力回路領域Ａ１及び第２入力回路領域Ｂ１が設けられた入力回路領域Ｃを挟んで一方側に第１出力回路領域Ａ２が設けられ、他方側に第２出力回路領域Ｂ２が設けられている。これにより、第１出力回路領域Ａ２と第２出力回路領域Ｂ２とが互いに隣り合う位置に設けられた場合に比べて、基板２１を大型化することなく、第１出力回路領域Ａ２に設けられた２次側回路と第２出力回路領域Ｂ２に設けられた２次側回路との距離を大きくすることができる。したがって、基板２１の大型化及びイオンマイグレーションの発生を抑制可能な電源基板２０を得ることが可能となる。【選択図】  図２
2015184536.tif 000002
【特許請求の範囲】
【請求項１】
電子写真方式の画像形成装置に用いられる電源基板において、
電気部品が実装された基板と、
前記基板に設けられた第１入力回路領域であって、電力が入力される１次側回路を有する第１入力回路領域と、
前記基板に設けられた第１出力回路領域であって、前記第１入力回路領域に入力された電力を利用して基準電位より高い電位を出力する２次側回路を有する第１出力回路領域と、
前記基板に設けられた第２入力回路領域であって、電力が入力される１次側回路を有する第２入力回路領域と、
前記基板に設けられた第２出力回路領域であって、前記第２入力回路領域に入力された電力を利用して基準電位より低い電位を出力する２次側回路を有する第２出力回路領域とを備え、
前記第１入力回路領域と前記第２入力回路領域とは互いに隣り合う位置に設けられ、
さらに、前記第１入力回路領域及び前記第２入力回路領域が設けられた入力回路領域を挟んで一方側に前記第１出力回路領域が設けられ、他方側に前記第２出力回路領域が設けられていることを特徴とする電源基板。
【請求項２】
前記第１出力回路領域側から前記第２出力回路領域側に至る方向を横方向とし、当該横方向と直交する方向を縦方向としたとき、
前記入力回路領域のうち前記横方向と平行な部位の寸法は、前記入力回路領域のうち前記縦方向と平行な部位の寸法より大きいことを特徴とする請求項１に記載の電源基板。
【請求項３】
前記基板のうち前記第１入力回路領域と前記第１出力回路領域との間には、当該基板を厚み方向に貫通した貫通穴状の第１スリットが設けられていることを特徴とする請求項１又は２に記載の電源基板。
【請求項４】
前記基板のうち前記第２入力回路領域と前記第２出力回路領域との間には、当該基板を厚み方向に貫通した貫通穴状の第２スリットが設けられていることを特徴とする請求項１ないし３のいずれか１項に記載の電源基板。
【請求項５】
前記入力回路領域には、２つの前記１次側回路に電力を入力するための入力部が設けられていることを特徴とする請求項１ないし４のいずれか１項に記載の電源基板。
【請求項６】
前記第１出力回路領域側から前記第２出力回路領域側に至る方向を横方向としたとき、
前記入力部は、前記入力回路領域のうち前記横方向中央部に設けられていることを特徴とする請求項５に記載の電源基板。
【請求項７】
前記第１出力回路領域の端部側のうち前記入力回路領域と反対側の端部側に設けられ、基準電位より高い電位を出力する第１出力部と、
前記第２出力回路領域の端部側のうち前記入力回路領域と反対側の端部側に設けられ、基準電位より低い電位を出力する第２出力部と
を備えることを特徴とする請求項１ないし６のいずれか１項に記載の電源基板。
【請求項８】
前記第１出力部と前記第２出力部とは、前記基板において対角の位置に設けられていることを特徴とする請求項７に記載の電源基板。
【請求項９】
前記基板に実装された電気部品で発生した熱を雰囲気中に放出するヒートシンクを備え、
前記ヒートシンクの少なくとも一部は、前記第１出力回路領域及び前記第２出力回路領域のうち少なくとも一方の領域に存在することを特徴とする請求項１ないし８のいずれか１項に記載の電源基板。
【請求項１０】
前記第１入力回路領域に入力された電力を変圧する第１変圧器と、
前記第２入力回路領域に入力された電力を変圧する第２変圧器とを備え、
前記第１変圧器と前記第２変圧器とは、前記基板において対角の位置に設けられていることを特徴とする請求項１ないし９のいずれか１項に記載の電源基板。
【請求項１１】
前記入力回路領域のうち前記第１出力回路領域に隣接する部位、及び前記入力回路領域のうち前記第２出力回路領域に隣接する部位のうち少なくとも一方の部位にはトランジスタが実装されていることを特徴とする請求項１ないし１０のいずれか１項に記載の電源基板。
【請求項１２】
前記第１出力回路領域に設けられた前記２次側回路は、前記画像形成装置の帯電器に供給される電力を生成し、
前記第２出力回路領域に設けられた前記２次側回路は、前記画像形成装置の転写体に供給される電力を生成することを特徴とする請求項１ないし１１のいずれか１項に記載の電源基板。
【請求項１３】
前記第１スリットは、複数の貫通穴が線状に並んだ穴列を少なくとも１列有することを特徴とする請求項３に記載の電源基板。
【請求項１４】
前記第１スリットは、複数の貫通穴が線状に並んだ穴列を複数列有することを特徴とする請求項３に記載の電源基板。
【請求項１５】
前記第２スリットは、複数の貫通穴が線状に並んだ穴列を少なくとも１列有することを特徴とする請求項４に記載の電源基板。
【請求項１６】
前記第２スリットは、複数の貫通穴が線状に並んだ穴列を複数列有することを特徴とする請求項４に記載の電源基板。
【請求項１７】
前記第１スリットには絶縁体で作られた第１絶縁部材が挿入されていることを特徴とする請求項３に記載の電源基板
【請求項１８】
前記第２スリットには絶縁体で作られた第２絶縁部材が挿入されていることを特徴とする請求項４に記載の電源基板
【請求項１９】
前記基板のうち前記第１入力回路領域と前記第１出力回路領域との間には、絶縁体で作られた第１絶縁部材が取り付けられていることを特徴とする請求項１又は２に記載の電源基板。
【請求項２０】
前記基板のうち前記第１入力回路領域と前記第１出力回路領域との間には、絶縁体で作られた第２絶縁部材が取り付けられていることを特徴とする請求項１又は２に記載の電源基板。
【発明の詳細な説明】
【技術分野】
【０００１】
本発明は、電子写真方式の画像形成装置に用いられる電源基板に関する。
【背景技術】
【０００２】
例えば、特許文献１に示されるように電子写真方式の画像形成装置は、感光ドラム、帯電器及び転写体等を備えている。帯電器は感光ドラムを帯電させる。転写体は感光ドラムに担持された現像剤像をシート等に転写させる。
【０００３】
帯電した感光ドラムは現像剤を静電吸着する。このため、転写体には帯電器と逆極性の電荷を発生させる電圧が印加される。つまり、例えば、帯電器に正の電位が印加される画像形成装置においては、転写体には負の電位が印加される。
【先行技術文献】
【特許文献】
【０００４】
【特許文献１】特許第４４８５２８４号明細書
【発明の概要】
【発明が解決しようとする課題】
【０００５】
帯電器には、基準電位（０Ｖ）に対して＋５ｋＶ〜＋８ｋＶ程度の電位が発生するように電圧が印加される。転写体には、基準電位（０Ｖ）に対して−１ｋＶ〜−６ｋＶ程度の電位が発生するように電圧が印加される。このとき、帯電器の電位と転写体の電位とは逆極性であるので、帯電器と転写体との電位差（電圧）は非常に大きくなる。
【０００６】
このため、帯電器に電圧を印加する第１回路と転写体に電圧を印加する第２回路と同一の基板に設けると、第１回路の出力電極と第２回路の出力電極との電位差が大きくなるため、イオンマイグレーションが発生し易い。
【０００７】
このため、通常、第１回路と第２回路との距離を大きくしてイオンマイグレーションの発生を抑制している。しかし、第１回路と第２回路との距離を大きくすると、必然的に基板の大型化を招いてしまう。
【０００８】
なお、イオンマイグレーションとは、水分（湿度）が多い環境条件に基板を設置した状態で電圧を印加した場合、電極間をイオン化した金属が移動し短絡が生じる現象をいう。
本発明は、上記点に鑑み、基板の大型化及びイオンマイグレーションの発生を抑制可能な電源基板を提供することを目的とする。
【課題を解決するための手段】
【０００９】
本発明は、上記目的を達成するために、電子写真方式の画像形成装置に用いられる電源基板において、電気部品が実装された基板（２１）と、基板（２１）に設けられた第１入力回路領域であって、電力が入力される１次側回路を有する第１入力回路領域（Ａ１）と、基板（２１）に設けられた第１出力回路領域であって、第１入力回路領域（Ａ１）に入力された電力を利用して基準電位より高い電位を出力する２次側回路を有する第１出力回路領域（Ａ２）と、基板（２１）に設けられた第２入力回路領域であって、電力が入力される１次側回路を有する第２入力回路領域（Ｂ１）と、基板（２１）に設けられた第２出力回路領域であって、第２入力回路領域（Ｂ１）に入力された電力を利用して基準電位より低い電位を出力する２次側回路を有する第２出力回路領域（Ｂ２）とを備え、第１入力回路領域（Ａ１）と第２入力回路領域（Ｂ１）とは互いに隣り合う位置に設けられ、さらに、第１入力回路領域（Ａ１）及び第２入力回路領域（Ｂ１）が設けられた入力回路領域（Ｃ）を挟んで一方側に第１出力回路領域（Ａ２）が設けられ、他方側に第２出力回路領域（Ｂ２）が設けられていることを特徴とする。
【００１０】
これにより、本発明では、例えば第１出力回路領域（Ａ２）と第２出力回路領域（Ｂ２）とが互いに隣り合う位置に設けられた場合に比べて、基板（２１）を大型化することなく、第１出力回路領域（Ａ２）に設けられた２次側回路と第２出力回路領域（Ｂ２）に設けられた２次側回路との距離を大きくすることができる。したがって、基板の大型化及びイオンマイグレーションの発生を抑制可能な電源基板を得ることが可能となる。
【００１１】
因みに、上記各手段等の括弧内の符号は、後述する実施形態に記載の具体的手段等との対応関係を示す１例であり、本発明は上記各手段等の括弧内の符号に示された具体的手段等に限定されるものではない。
【図面の簡単な説明】
【００１２】
【図１】本発明の実施形態に係る画像形成装置の中央断面図である。
【図２】本発明の第１実施形態に係る電源基板２０の模式図である。
【図３】本発明の第２実施形態に係る電源基板２０の模式図である。
【図４】本発明の第３実施形態に係る電源基板２０の模式図である。
【図５】本発明の第４実施形態に係る電源基板２０の模式図である。
【図６】本発明の第５実施形態に係る電源基板２０の模式図である。
【図７】本発明の第６実施形態に係る電源基板２０の模式図である。
【図８】（ａ）〜（ｃ）は本発明の第７実施形態に係るスリットの模式図である。
【図９】（ａ）、（ｂ）は本発明の第８実施形態に係る絶縁部材の模式図である。
【発明を実施するための形態】
【００１３】
以下に説明する「発明の実施形態」は実施形態の一例を示すものである。つまり、特許請求の範囲に記載された発明特定事項等は、下記の実施形態に示された具体的手段や構造等に限定されるものではない。
【００１４】
そして、本実施形態は、モノクロ方式の画像形成装置に本発明を適用したものである。以下、本発明の実施形態を図面と共に説明する。
なお、各図に付された方向を示す矢印等は、各図相互の関係を理解し易くするために記載したものであり、本発明は、各図に付された方向に限定されるものではない。少なくとも符号を付して説明した部材又は部位は、「複数」や「２つ以上」等の断りをした場合を除き、少なくとも１つ設けられている。
【００１５】
（第１実施形態）
１．画像形成装置の概要
画像形成装置１の筐体カバー３内には、図１に示すように、シートに画像を形成する画像形成部５が収納されている。画像形成部５は、現像カートリッジ７、感光ドラム８、露光器９及び定着器１１等を有する電子写真方式である。
【００１６】
画像形成部５は、一対のサイドフレーム（図示せず。）に挟まれた状態で当該サイドフレームに組み付けられている。筐体カバー３は、一対のサイドフレームを外側から覆って画像形成部５を収納するとともに、画像形成装置１の外観意匠面を構成する。
【００１７】
現像カートリッジ７は、現像ローラ７Ａ及び貯留部７Ｂ等を有している。感光ドラム８は現像剤像を担持する。帯電器８Ａは感光ドラム８を帯電させる。露光器９は、帯電した感光ドラム８を露光する。これにより、感光ドラム８には、静電潜像が形成される。
【００１８】
現像ローラ７Ａは、貯留部７Ｂに貯留されている現像剤を感光ドラム８に供給する。これにより、感光ドラム８には現像剤像が形成される。感光ドラム８と対向する位置には、転写体８Ｂが配設されている。
【００１９】
転写体８Ｂは、感光ドラム８に担持されている現像剤像をシートに転写させる。定着器１１は、シートに転写された現像剤を直接的又は間接的に加熱し、現像剤像をシートに定着させる。
【００２０】
なお、帯電器８Ａには、基準電位（０Ｖ）に対して＋５ｋＶ〜＋８ｋＶ程度の電位が発生するように電圧が印加される。転写体８Ｂには、基準電位（０Ｖ）に対して−１ｋＶ〜−６ｋＶ程度の電位が発生するように電圧が印加される。
【００２１】
電源基板２０は、少なくとも帯電器８Ａ及び転写体８Ｂ等に電力を供給する。当該電源基板２０は、サイドフレームと筐体カバー３との間に配設された状態でサイドフレームに組み付け固定されている。なお、本実施形態に係る電源基板２０は、一対のサイドフレームのうち右側のサイドフレームに組み付けられている。
【００２２】
２．電源基板の構造
電源基板２０は、図２に示すように、電源回路を構成するための電気部品が実装された基板２１である。なお、「電源回路を構成するための電気部品」とは、例えば、集積回路（ＩＣ）、パワートランジスタ、コンデンサ及びダイオード等の電気部品である。
【００２３】
略矩形状の基板２１のうち仮想線Ｌｏにより区切られた２つの領域のうち一方の領域（以下、第１領域Ａという。）は、帯電器８Ａに電力を供給するための電源回路が設けられている。基板２１のうち仮想線Ｌｏにより区切られた２つの領域のうち他方の領域（以下、第２領域Ｂという。）は、転写体８Ｂに電力を供給するための電源回路が設けられている。
【００２４】
基板２１の第１領域Ａであって仮想線Ｌ１を挟んで一方側（図２では左側）には、１次側回路（図示せず。）を有する第１入力回路領域Ａ１が設けられている。当該１次側回路は、帯電器８Ａに供給するための電力が入力される電気回路である。
【００２５】
基板２１の第１領域Ａであって仮想線Ｌ１を挟んで他方側（図２では右側）には、２次側回路（図示せず。）を有する第１出力回路領域Ａ２が設けられている。当該２次側回路は、第１入力回路領域Ａ１に入力された電力を利用して基準電位より高い電位（以下、第１出力電位という。）を出力するための電気回路である。
【００２６】
なお、第１入力回路領域Ａ１とは、例えば、基板２１のうち基準電位との電位差が１００Ｖ以下となる領域をいう。第１出力回路領域Ａ２とは、例えば、基準電位との電位差が１００Ｖより大きい領域をいう。
【００２７】
つまり、本実施形態では、第１領域Ａは、帯電器８Ａに電力を供給するための電源回路が設けられた領域であるので、第１入力回路領域Ａ１は、電位が０Ｖ以上、＋１００Ｖ以下となる領域となる。第１出力回路領域Ａ２は、電位が＋１００Ｖより高い領域となる。
【００２８】
因みに、第１領域Ａに設けられた第１変圧器２２Ａは、第１入力回路領域Ａ１に入力された電力を第１出力電位まで変圧する。したがって、第１入力回路領域Ａ１と第１出力回路領域Ａ２とを区分けする仮想線Ｌ１は、少なくとも第１変圧器２２Ａを通る。
【００２９】
基板２１の第２領域Ｂであって仮想線Ｌ２を挟んで一方側（図２では右側）には、１次側回路（図示せず。）を有する第２入力回路領域Ｂ１が設けられている。当該１次側回路は、転写体８Ｂに供給するための電力が入力される電気回路である。
【００３０】
基板２１の第２領域Ｂであって仮想線Ｌ２を挟んで他方側（図２では左側）には、２次側回路（図示せず。）を有する第２出力回路領域Ｂ２が設けられている。当該２次側回路は、第２入力回路領域Ｂ１に入力された電力を利用して基準電位より低い電位（以下、第２出力電位という。）を出力するための電気回路である。
【００３１】
なお、第２入力回路領域Ｂ１とは、例えば、基板２１のうち基準電位との電位差が１００Ｖ以下となる領域をいう。第２出力回路領域Ｂ２とは、例えば、基準電位との電位差が１００Ｖより大きい領域をいう。
【００３２】
つまり、本実施形態では、第２領域Ｂは、転写体８Ｂに電力を供給するための電源回路が設けられた領域であるので、第２入力回路領域Ｂ１は、電位が０Ｖ以下、−１００Ｖ以上となる領域となる。第２出力回路領域Ｂ２は、電位が−１００Ｖより低い領域となる。
【００３３】
因みに、第２領域Ｂに設けられた第２変圧器２２Ｂは、第２入力回路領域Ｂ１に入力された電力を第２出力電位まで変圧する。したがって、第２入力回路領域Ｂ１と第２出力回路領域Ｂ２とを区分けする仮想線Ｌ２は、少なくとも第２変圧器２２Ｂを通る。
【００３４】
そして、第１入力回路領域Ａ１と第２入力回路領域Ｂ１とは、仮想線Ｌｏを挟んで互いに隣接している。このため、電源基板２０は、第１入力回路領域Ａ１と第２入力回路領域Ｂ１とを併せた領域（以下、入力回路領域Ｃという。）を挟んで一方側に第１出力回路領域Ａ２が設けられ、他方側に第２出力回路領域Ｂ２が設けられた構成となる。
【００３５】
つまり、本実施形態に係る電源基板２０は、矩形版状の基板２１のうち中央部に入力回路領域Ｃが設けられ、当該入力回路領域Ｃを挟んで一方側に第１出力回路領域Ａ２が設けられ、かつ、他方側に第２出力回路領域Ｂ２が設けられた構成となる。
【００３６】
第１変圧器２２Ａと第２変圧器２２Ｂとは、基板２１において対角の位置に設けられている。「２つの変圧器２２Ａ、２２Ｂが対角の位置に設けられている」とは、外形状が多角形に形成された基板２１において、少なくとも第１変圧器２２Ａ及び第２変圧器２２Ｂそれぞれが基板２１の角部近傍に配設され、かつ、当該２つの角部が互いに隣り合う角部ではないことをいう。
【００３７】
したがって、例えば、基板２１の外形状が五角形の場合には、第１変圧器２２Ａが配設された角部を第１角部とすると、第２変圧器２２Ｂが配設された角部は、右回りに数えて第３角部又は第４角部となる。
【００３８】
例えば、基板２１の外形状が凹状の六角形の場合には、第１変圧器２２Ａが配設された角部を第１角部とすると、第２変圧器２２Ｂが配設された角部は、右回りに数えて第３角部〜第５角部のいずれかの角部となる。
【００３９】
そして、入力回路領域Ｃのうち第１出力回路領域Ａ２に隣接する部位、及び入力回路領域Ｃのうち第２出力回路領域Ｂ２に隣接する部位それぞれには、トランジスタＴｒが実装されている。
【００４０】
各トランジスタＴｒにはヒートシンク２３Ａ、２３Ｂが設けられている。それらヒートシンク２３Ａ、２３Ｂは、各トランジスタＴｒで発生した熱を雰囲気中に放出する放熱器である。
【００４１】
そして、ヒートシンク２３Ａの少なくとも一部は第１出力回路領域Ａ２まで延びているとともに、その一部は第１出力回路領域Ａ２に存在している。同様に、ヒートシンク２３Ｂの少なくとも一部は第２出力回路領域Ｂ２まで延びているとともに、その一部は第２出力回路領域Ｂ２に存在している。
【００４２】
基板２１のうち第１入力回路領域Ａ１と第１出力回路領域Ａ２との間には、第１スリット２４Ａが設けられている。当該第１スリット２４Ａは、基板２１を厚み方向に貫通した貫通穴である。本実施形態に係る第１スリット２４Ａは、仮想線Ｌ１に重なって仮想線Ｌ１に沿って延びる長穴状の貫通穴である。
【００４３】
同様に、基板２１のうち第２入力回路領域Ｂ１と第２出力回路領域Ｂ２との間には、第２スリット２４Ｂが設けられている。当該第２スリット２４Ｂは、基板２１を厚み方向に貫通した貫通穴である。本実施形態に係る第２スリット２４Ｂは、仮想線Ｌ２に重なって仮想線Ｌ２に沿って延びる長穴状の貫通穴である。
【００４４】
なお、本実施形態では、ダイオードが実装された部位にも貫通穴状のスリット２４Ｃ、２４Ｄが設けられ、かつ、後述する第１出力部２５Ａ及び第２出力部２５Ｂの周囲にも貫通穴状のスリット２５Ｅ、２５Ｆが設けられている。そして、スリット２５Ｅ、２５Ｆは、基板２１の端部まで延びている。
【００４５】
入力回路領域Ｃには入力部２７が設けられている。入力部２７は、２つの１次側回路に電力を入力するための部位である。なお、本実施形態に係る入力部２７はコネクタにより構成されている。コネクタは、フラットケーブル等の電気配線が着脱自在に装着される部位である。
【００４６】
そして、入力部２７は、入力回路領域Ｃのうち横方向（紙面左右方向）中央部に設けられている。横方向とは、第１出力回路領域Ａ２側から第２出力回路領域Ｂ２側に至る方向をいう。なお、本実施形態に係る横方向は、長方形状の基板２１の長手方向と一致する。
【００４７】
入力回路領域Ｃのうち横方向と平行な部位の寸法（以下、横寸法Ｗという。）は、入力回路領域Ｃのうち縦方向と平行な部位の寸法（以下、縦寸法Ｈという。）より大きい寸法となっている。縦方向とは、横方向と直交する方向である。
【００４８】
第１出力部２５Ａは、第１出力電位の電力を出力可能な出力端子であって、第１出力回路領域Ａ２の端部側のうち入力回路領域Ｃと反対側の端部側に設けられている。第２出力部２５Ｂは、第２出力電位の電力を出力可能な出力端子であって、第１出力回路領域Ａ２の端部側のうち入力回路領域Ｃと反対側の端部側に設けられている。
【００４９】
すなわち、本実施形態に係る各回路領域Ａ１〜Ｂ２は、横方向に沿って、第１出力回路領域Ａ２、第１入力回路領域Ａ１、第２入力回路領域Ｂ１、第２出力回路領域Ｂ２の順に並んで設けられている。したがって、第１出力部２５Ａは、電源基板２０の横方向一端側に位置し、第２出力部２５Ｂは横方向他端側に位置するとともに、横方向中央に入力回路領域Ｃが位置する。
【００５０】
さらに、第１出力部２５Ａと第２出力部２５Ｂとは、基板２１において対角に位置している。「第１出力部２５Ａと第２出力部２５Ｂとが対角に位置する」とは、２つの変圧器２２Ａ、２２Ｂの配置関係と同様で意味である。
【００５１】
つまり、外形状が多角形に形成された基板２１において、少なくとも第１出力部２５Ａ及び第２出力部２５Ｂそれぞれが基板２１の角部近傍に配設され、かつ、当該２つの角部が互いに隣り合う角部ではないことをいう。
【００５２】
なお、本実施形態では、第１変圧器２２Ａと第２変圧器２２Ｂとを結ぶ仮想線と第１出力部２５Ａと第２出力部２５Ｂとを結ぶ仮想線とが交差するように、２つの変圧器２２Ａ、２２Ｂ及び２つの出力部２５Ａ、２５Ｂが配置されている。
【００５３】
３．本実施形態に係る画像形成装置の特徴
本実施形態では、第１入力回路領域Ａ１及び第２入力回路領域Ｂ１が設けられた入力回路領域Ｃを挟んで一方側に第１出力回路領域Ａ２が設けられ、他方側に第２出力回路領域Ｂ２が設けられていることを特徴としている。
【００５４】
これにより、本実施形態では、例えば第１出力回路領域Ａ２と第２出力回路領域Ｂ２とが互いに隣り合う位置に設けられた場合に比べて、基板２１を大型化することなく、第１出力回路領域Ａ２に設けられた２次側回路と第２出力回路領域Ｂ２に設けられた２次側回路との距離（以下、出力間距離という。）を大きくすることができる。したがって、基板２１の大型化及びイオンマイグレーションの発生を抑制可能な電源基板２０を得ることが可能となる。
【００５５】
本実施形態では、入力回路領域Ｃの横寸法Ｗが縦寸法Ｈより大きい寸法となっていることを特徴としている。これにより、入力回路領域Ｃの面積が同一ならば、縦寸法Ｈを横寸法Ｗより大きくした場合に比べて出力間距離を大きくすることができる。したがって、基板２１の大型化及びイオンマイグレーションの発生を抑制可能な電源基板２０を得ることが可能となる。
【００５６】
本実施形態では、基板２１のうち第１入力回路領域Ａ１と第１出力回路領域Ａ２との間には、当該基板２１を厚み方向に貫通した第１スリット２４Ａが設けられていることを特徴としている。
【００５７】
これにより、本実施形態では、第１入力回路領域Ａ１と第１出力回路領域Ａ２との間を第１スリット２４Ａにより確実に電気絶縁することができるので、イオンマイグレーションの発生を抑制でき得る。
【００５８】
本実施形態では、基板２１のうち第２入力回路領域Ｂ１と第２出力回路領域Ｂ２との間には、当該基板２１を厚み方向に貫通した第２スリット２４Ｂが設けられていることを特徴としている。
【００５９】
これにより、本実施形態では、第２入力回路領域Ｂ１と第２出力回路領域Ｂ２との間を第２スリット２４Ｂにより確実に電気絶縁することができるので、イオンマイグレーションの発生を抑制でき得る。
【００６０】
本実施形態では、入力回路領域Ｃには、２つの１次側回路に電力を入力するための入力部２７が設けられていることを特徴としている。
これにより、本実施形態では、入力部２７といずれかの２次側回路との距離を大きくすることが可能となるので、２次側回路から出力される電力が入力部２７を通して他の基板等に漏れ出ることを抑制できる。
【００６１】
本実施形態では、第１出力部２５Ａは、第１出力回路領域Ａ２の端部側のうち入力回路領域Ｃと反対側の端部側に設けられ、かつ、第２出力部２５Ｂは、第２出力回路領域Ｂ２の端部側のうち入力回路領域Ｃと反対側の端部側に設けられていることを特徴としている。これにより、基板２１の大型化を抑制しつつ、第１出力部２５Ａと第２出力部２５Ｂとの距離を大きくすることが可能となる。
【００６２】
本実施形態では、第１出力部２５Ａと第２出力部２５Ｂとは、基板２１において対角の位置に設けられていることを特徴としている。これにより、基板２１の大型化を招くことなく、第１出力部２５Ａと第２出力部２５Ｂとの距離を確実に大きくすることが可能となる。
【００６３】
本実施形態では、トランジスタＴｒで発生した熱を雰囲気中に放出するヒートシンク２３Ａ、２３Ｂを備えるとともに、各ヒートシンク２３Ａ、２３Ｂの少なくとも一部は、第１出力回路領域Ａ２及び第２出力回路領域Ｂ２に存在することを特徴としている。
【００６４】
これにより、本実施形態では、第１出力回路領域Ａ２及び第２出力回路領域Ｂ２の雰囲気の相対湿度を低下させることができるので、イオンマイグレーションの発生を抑制でき得る。
【００６５】
本実施形態では、第１入力回路領域Ａ１に入力された電力を変圧する第１変圧器２２Ａと、第２入力回路領域Ｂ１に入力された電力を変圧する第２変圧器２２Ｂとを備え、第１変圧器２２Ａと第２変圧器２２Ｂとは、基板２１において対角の位置に設けられていることを特徴としている。
【００６６】
これにより、本実施形態では、基板２１の大型化を抑制しつつ、第１変圧器２２Ａと第２変圧器２２Ｂとの距離を大きくすることができるので、イオンマイグレーションの発生を抑制でき得る。
【００６７】
本実施形態では、入力回路領域Ｃのうち第１出力回路領域Ａ２に隣接する部位、及び入力回路領域Ｃのうち第２出力回路領域Ｂ２に隣接する部位にはトランジスタＴｒが実装されていることを特徴としている。
【００６８】
これにより、本実施形態では、トランジスタＴｒが発する熱により、基板２１のうち第１出力回路領域Ａ２及び第２出力回路領域Ｂ２を加熱することができる。したがって、当該領域に属する基板２１を乾燥させることができるので、イオンマイグレーションの発生を抑制でき得る。
【００６９】
（第２実施形態）
上述の実施形態では、基板２１の外形状が単純な矩形状であったが、本実施形態は、図３に示すように、入力回路領域Ｃの縦寸法Ｈが他の領域の縦寸法に比べて小さい凹形状となっている。そして、本実施形態に係る電源基板２０も第１実施形態に係る電源基板２０の特徴の全てを兼ね備えている。
【００７０】
（第３実施形態）
上述の実施形態では、各回路領域Ａ１〜Ｂ２は、横方向に平行に、第１出力回路領域Ａ２、第１入力回路領域Ａ１、第２入力回路領域Ｂ１、第２出力回路領域Ｂ２の順に並んで設けられていた。
【００７１】
これに対して、本実施形態は、図４に示すように、第１出力回路領域Ａ２と第１入力回路領域Ａ１とを１つの領域とし、第２入力回路領域Ｂ１と第２出力回路領域Ｂ２とを１つの領域とするとともに、それら２つの領域を対角状に配置したものである。
【００７２】
これにより、出力間距離を大きくすることができるので、基板２１の大型化及びイオンマイグレーションの発生を抑制可能な電源基板２０を得ることが可能となる。
（第４実施形態）
第１実施形態では、電気部品であるトランジスタＴｒが入力回路領域Ｃに実装されていたが、本実施形態は、図５に示すように、第１出力回路領域Ａ２と第１入力回路領域Ａ１との境界部に実装したものである。これにより、当該領域に属する基板２１を乾燥させることができるので、イオンマイグレーションの発生を抑制でき得る。
【００７３】
なお、図５では第１出力回路領域Ａ２と第１入力回路領域Ａ１との境界部にトランジスタＴｒを実装しているが、第２入力回路領域Ｂ１と第２出力回路領域Ｂ２との境界部にもトランジスタＴｒを実装してもよい。
【００７４】
（第５実施形態）
本実施形態は、第４実施形態の変形例である。すなわち、本実施形態では、図６に示すように、トランジスタＴｒが第１出力回路領域Ａ２と第１入力回路領域Ａ１との境界部に実装され、かつ、当該トランジスタＴｒで発生した熱を雰囲気中に放出するヒートシンク２３Ａの少なくとも一部が第１出力回路領域Ａ２に存在するものである。
【００７５】
なお、図６では第１出力回路領域Ａ２と第１入力回路領域Ａ１との境界部にトランジスタＴｒを実装しているが、第２入力回路領域Ｂ１と第２出力回路領域Ｂ２との境界部にもトランジスタＴｒを実装するとともに、ヒートシンク２３Ｂもその少なくとも一部を第２出力回路領域Ｂ２に存在させてもよい。
【００７６】
（第６実施形態）
上述の実施形態に係る電源基板２０には、第１出力回路領域Ａ２、第１入力回路領域Ａ１、第２入力回路領域Ｂ１及び第２出力回路領域Ｂ２が設けられていたが、本実施形態は、それら回路領域Ａ１〜Ｂ２以外の回路領域（以下、「その他の回路領域」という。）を第１出力回路領域Ａ２と第２出力回路領域Ｂ２との間に設けたものである。
【００７７】
具体的には、図７に示すように、帯電器８Ａのグリッド（図示せず。）に印加する電位を生成する出力回路、及び感光ドラム８や現像ローラ７Ａに印加する電位を生成する出力回路等を含む回路領域Ｄが、入力回路領域Ｃと第１出力回路領域Ａ２との間に設けられている。
【００７８】
なお、本実施形態は、入力回路領域Ｃと第２出力回路領域Ｂ２との間にも「その他の回路領域」を設けてもよい。
（第７実施形態）
第１実施形態に係る第１スリット２４Ａ及び第２スリット２４Ｂは、長穴状の貫通穴にて構成されていたが、本実施形態に係る第１スリット２４Ａ及び第２スリット２４Ｂは、図８（ａ）〜図８（ｃ）に示すように、複数の貫通穴が線状に並んだ穴列２４Ｇが少なくとも１列設けられたものである。
【００７９】
なお、図８（ａ）〜図８（ｃ）では、複数列（３列）の穴列２４Ｇを有している。そして、図８（ａ）に示す例は、直線状に貫通穴が並んだ穴列２４Ｇである。図８（ｂ）に示す例は、曲線状に貫通穴が並んだ穴列２４Ｇである。図８（ｃ）に示す例は、波線状に貫通穴が並んだ穴列２４Ｇである。
【００８０】
因みに、図８（ａ）〜図８（ｃ）では、丸穴状の貫通穴にて穴列２４Ｇが構成されているが、本実施形態はこれに限定されるものではなく、楕円や矩形状等、その他形状の貫通穴であってもよい。
【００８１】
（第８実施形態）
第１実施形態に係る基板２１では、第１スリット２４Ａ及び第２スリット２４Ｂの内部は空気で電気絶縁するものであったが、本実施形態は、図９（ａ）に示すように、第１スリット２４Ａ及び第２スリット２４Ｂに樹脂等の絶縁材料で制作した絶縁部材１００を挿入するものである。
【００８２】
図９（ａ）に示す構成では、絶縁部材１００を挿入することにより、第１実施形態のようにスリット内を空気だけで絶縁する場合に比べて電界の集中を抑えることができるので、イオンマイグレーションの発生をより効果的に抑えることができる。
【００８３】
ここで、絶縁部材１００を独立の部品として用意する代わりに、例えば基板２１の近くにある樹脂製の部品からリブを伸ばして、そのリブの先端を第１スリット２４Ａと第２スリット２４Ｂに挿入する構造であってもよい。
【００８４】
第１スリット２４Ａ及び第２スリット２４Ｂに樹脂製のリブを挿入することにより、スリット２４Ａ、２４Ｂに絶縁部材１００を挿入する場合と同様な効果を得ることができる。
【００８５】
また、図９（ｂ）に示すように、基板２１の表面に樹脂製の絶縁部材１０２を接着しても良い。  図９（ｂ）に示す構成では、基板２１に第１スリット２４Ａや第２スリット２４Ｂのような貫通穴を開けることによる基板２１の強度低下を避けつつ、電界の集中を抑えてイオンマイグレーションの発生を抑えることができる。
【００８６】
（その他の実施形態）
上述の入力回路領域Ｃのうち第１出力回路領域Ａ２に隣接する部位、及び入力回路領域Ｃのうち第２出力回路領域Ｂ２に隣接する部位にはトランジスタＴｒが実装されていたが、本発明はこれに限定されるものではなく、少なくとも一方の部位にトランジスタＴｒが実装された構成、又はそれらの部位以外にトランジスタＴｒが実装された構成であってもよい。
【００８７】
上述の実施形態では、第１領域Ａは、帯電器８Ａに電力を供給するための電源回路が設けられ、かつ、第２領域Ｂは、転写体８Ｂに電力を供給するための電源回路が設けられていたが、本発明はこれに限定されるものではない。
【００８８】
上述の実施形態では、入力回路領域Ｃの横寸法Ｗが縦寸法Ｈより大きい寸法であったが、本発明はこれに限定されるものではなく、横寸法Ｗが縦寸法Ｈより小さい寸法の場合、又は横寸法Ｗと縦寸法Ｈとが同一寸法である場合のいずれであってもよい。
【００８９】
上述の実施形態では、第１スリット２４Ａ及び第２スリット２４Ｂを設けたが、本発明はこれに限定されるものではない。
上述の実施形態では、第１出力部２５Ａ及び第２出力部２５Ｂが、基板２１の横方向一端側及び他端側において対角の位置に設けられていたが、本発明はこれに限定されるものではない。
【００９０】
上述の実施形態では、第１変圧器２２Ａ及び第２変圧器２２Ｂが、基板２１の横方向一端側及び他端側において対角の位置に設けられていたが、本発明はこれに限定されるものではない。
【００９１】
上述の実施形態に係る画像形成装置はモノクロ方式であったが、本発明はこれに限定されるものではなく、カラー方式であってもよい。
上述の実施形態に係る画像形成装置では、電源基板２０が画像形成装置１の右側に配設されていたが、本発明はこれに限定されるものではない。
【００９２】
本発明は、特許請求の範囲に記載された発明の趣旨に合致するものであればよく、上述の実施形態に限定されるものではない。
【符号の説明】
【００９３】
１… 画像形成装置  ３… 筐体カバー  ５… 画像形成部
７… 現像カートリッジ  ７Ａ… 現像ローラ  ７Ｂ… 貯留部
８… 感光ドラム  ８Ａ… 帯電器  ８Ｂ… 転写体  ９… 露光器
１１… 定着器  ２０… 電源基板  ２１… 基板  ２２Ａ… 第１変圧器
２２Ｂ… 第２変圧器  ２３Ａ、２３Ｂ… ヒートシンク
２４Ａ… 第１スリット  ２４Ｂ… 第２スリット  ２４Ｃ… スリット
２４Ｇ… 穴列  ２５Ａ… 第１出力部  ２５Ｂ… 第２出力部
【図１】
2015184536.tif 000003
【図２】
2015184536.tif 000004
【図３】
2015184536.tif 000005
【図４】
2015184536.tif 000006
【図５】
2015184536.tif 000007
【図６】
2015184536.tif 000008
【図７】
2015184536.tif 000009
【図８】
2015184536.tif 000010
【図９】
2015184536.tif 000011